【手続補正書】
【提出日】平成31年4月26日(2019.4.26)
【手続補正１】
【補正対象書類名】特許請求の範囲
【補正対象項目名】全文
【補正方法】変更
【補正の内容】
【特許請求の範囲】
【請求項１】
コンテンション・ベーススペクトルにおいて、ある数の通信レイヤを使用して動作するユーザ機器（ＵＥ）におけるワイヤレス通信の方法であって、
チャネル状態情報（ＣＳＩ）基準信号（ＲＳ）の存在を示すシグナリングを受信することと、
前記受信されたシグナリングにしたがって前記ＣＳＩ ＲＳを受信することと、
前記通信レイヤの数が通信レイヤのしきい値の数を超えるとき、前記ＣＳＩ ＲＳに少なくとも部分的に基づいてチャネル品質インジケータ（ＣＱＩ）を計算することと、を備える、方法。
【請求項２】
セル固有の基準信号（ＣＲＳ）を受信することをさらに備え、ここにおいて前記ＣＱＩは、前記ＣＲＳに少なくとも部分的に基づいて計算される、請求項１に記載の方法。
【請求項３】
前記ＣＲＳを受信することは、
前記ＣＲＳを備えるプリアンブルを受信することを備える、請求項２に記載の方法。
【請求項４】
物理ダウンリンク制御チャネル（ＰＤＣＣＨ）を受信することをさらに備え、ここにおいて前記ＣＳＩ ＲＳは、前記ＰＤＣＣＨの後に受信される、請求項１に記載の方法。
【請求項５】
前記ＣＳＩ ＲＳの存在を示す前記シグナリングは、
物理チャネル、または
物理制御フォーマット・インジケータ・チャネル（ＰＣＦＩＣＨ）の一部分または物理フレーム・フォーマット・インジケータ・チャネル（ＰＦＦＩＣＨ）の一部分、あるいは、
物理ダウンリンク制御チャネル（ＰＤＣＣＨ）の一部分、
を備える、請求項１に記載の方法。
【請求項６】
前記ＣＳＩ ＲＳは、複数のシンボル期間を備える、請求項１に記載の方法。
【請求項７】
前記ＣＳＩ ＲＳの密度は、干渉測定ギャップに少なくとも部分的に基づく、請求項６に記載の方法。
【請求項８】
前記ＣＳＩ ＲＳを受信することは、
ダウンリンク（ＤＬ）バーストの最後の送信時間インターバル（ＴＴＩ）において前記ＣＳＩ ＲＳを受信すること、または、
前記受信されたシグナリングにしたがって第１のＣＳＩ ＲＳおよび第２のＣＳＩ ＲＳを備えるＤＬバーストを受信すること、ここにおいて前記ＣＱＩは、前記第１のＣＳＩ ＲＳに少なくとも部分的に基づいて計算された第１のＣＱＩおよび前記第２のＣＳＩ ＲＳに少なくとも部分的に基づいて計算された第２のＣＱＩを備える、
を備える、請求項１に記載の方法。
【請求項９】
前記ＣＱＩを備える報告を送信することをさらに備え、ここにおいて前記報告は、前記ＣＱＩが前記ＣＳＩ ＲＳに少なくとも部分的に基づくことのインジケーションを備える、請求項１に記載の方法。
【請求項１０】
コンテンション・ベーススペクトルにおいて、ある数の通信レイヤを使用して動作する基地局によるワイヤレス通信の方法であって、
チャネル状態情報（ＣＳＩ）基準信号（ＲＳ）の存在を示すシグナリングを送信することと、
前記シグナリングにしたがって前記ＣＳＩ ＲＳを送信することと、
前記通信レイヤの数が通信レイヤのしきい値の数を超えるとき、前記ＣＳＩ ＲＳに少なくとも部分的に基づいて計算されたＣＱＩを備える報告を受信することと、を備える、方法。
【請求項１１】
ＣＳＩ ＲＳベースのＣＱＩ報告のために構成されたユーザ機器（ＵＥ）を識別することをさらに備え、ここにおいて前記シグナリングは、前記ＵＥを識別することに少なくとも部分的に基づいて送信される、請求項１０に記載の方法。
【請求項１２】
前記ＣＱＩが前記ＣＳＩ ＲＳを送信することに少なくとも部分的に基づいて前記ＣＳＩ ＲＳを使用して計算されたことを決定すること、または
前記ＣＱＩがＵＥから受信されたインジケータに少なくとも部分的に基づいて前記ＣＳＩ ＲＳを使用して計算されたことを決定すること、ここにおいて前記報告は、前記インジケータを備える、
をさらに備える、請求項１０に記載の方法。
【請求項１３】
前記シグナリングにしたがって前記ＣＳＩ ＲＳを送信することは、前記シグナリングにしたがって、第１のユーザ機器（ＵＥ）に向けられた第１のＣＳＩ ＲＳおよび第２のＵＥに向けられた第２のＣＳＩ ＲＳを備えるＤＬバーストを送信することを備え、
前記ＣＱＩを備える前記報告を受信することは、前記第１のＣＳＩ ＲＳに少なくとも部分的に基づいて前記第１のＵＥによって計算された第１のＣＱＩを備える第１の報告を受信することと、前記第２のＣＳＩ ＲＳに少なくとも部分的に基づいて前記第２のＵＥによって計算された第２のＣＱＩを備える第２の報告を受信することとを備える、請求項１０に記載の方法。
【請求項１４】
ある数の通信レイヤを使用してコンテンション・ベーススペクトルにおいて動作するように構成されたワイヤレス通信のためのユーザ機器（ＵＥ）であって、
チャネル状態情報（ＣＳＩ）基準信号（ＲＳ）の存在を示すシグナリングを受信するための手段と、
前記受信されたシグナリングにしたがって前記ＣＳＩ ＲＳを受信するための手段と、
前記通信レイヤの数が通信レイヤのしきい値の数を超えるとき、前記ＣＳＩ ＲＳに少なくとも部分的に基づいてチャネル品質インジケータ（ＣＱＩ）を計算するための手段と、を備える、ユーザ機器（ＵＥ）。
【請求項１５】
ある数の通信レイヤを使用してコンテンション・ベーススペクトルにおいて動作するように構成されたワイヤレス通信のための基地局であって、
チャネル状態情報（ＣＳＩ）基準信号（ＲＳ）の存在を示すシグナリングを送信するための手段と、
前記シグナリングにしたがって前記ＣＳＩ ＲＳを送信するための手段と、
前記通信レイヤの数が通信レイヤのしきい値の数を超えるとき、前記ＣＳＩ ＲＳに少なくとも部分的に基づいて計算されたＣＱＩを備える報告を受信するための手段と、を備える、基地局。
【手続補正２】
【補正対象書類名】明細書
【補正対象項目名】０１６３
【補正方法】変更
【補正の内容】
【０１６３】
[0173]  本書での説明は、当業者が本開示を製造または使用することを可能にするために提供される。本開示に対するさまざまな修正は、当業者にとって容易に明らかとなり、本書で定義された包括的な原理は、本開示の範囲から逸脱しないで他の変形に適用され得る。かくして、本開示は、本書に説明された例および設計に限定されるべきではなく、本書に開示された原理および新規の特徴と矛盾しない最も広い範囲が付与されるべきである。
以下に本願の出願当初の特許請求の範囲に記載された発明を付記する。
［Ｃ１］
ワイヤレス通信の方法であって、
チャネル状態情報（ＣＳＩ）基準信号（ＲＳ）の存在を示すシグナリングを受信することと、
前記受信されたシグナリングにしたがって前記ＣＳＩ ＲＳを受信することと、
前記ＣＳＩ ＲＳに少なくとも部分的に基づいてチャネル品質インジケータ（ＣＱＩ）を計算することと、を備える、方法。
［Ｃ２］
セル固有の基準信号（ＣＲＳ）を受信することをさらに備え、ここにおいて前記ＣＱＩは、前記ＣＲＳに少なくとも部分的に基づく、Ｃ１に記載の方法。
［Ｃ３］
前記ＣＲＳを受信することは、
前記ＣＲＳを備えるプリアンブルを受信することを備える、Ｃ２に記載の方法。
［Ｃ４］
物理ダウンリンク制御チャネル（ＰＤＣＣＨ）を受信することをさらに備え、ここにおいて前記ＣＳＩ ＲＳは、前記ＰＤＣＣＨの後に受信される、Ｃ１に記載の方法。
［Ｃ５］
前記ＣＳＩ ＲＳの存在を示す前記シグナリングは、物理チャネルを備える、Ｃ１に記載の方法。
［Ｃ６］
前記ＣＳＩ ＲＳの存在を示す前記シグナリングは、物理制御フォーマット・インジケータ・チャネル（ＰＣＦＩＣＨ）の一部分または物理フレーム・フォーマット・インジケータ・チャネル（ＰＦＦＩＣＨ）の一部分を備える、Ｃ５に記載の方法。
［Ｃ７］
前記ＣＳＩ ＲＳのシグナリングを示す前記シグナリングは、物理ダウンリンク制御チャネル（ＰＤＣＣＨ）の一部分を備える、Ｃ５に記載の方法。
［Ｃ８］
前記ＣＳＩ ＲＳは、複数のシンボル期間を備える、Ｃ１に記載の方法。
［Ｃ９］
前記ＣＳＩ ＲＳの密度は、干渉測定ギャップに少なくとも部分的に基づく、Ｃ８に記載の方法。
［Ｃ１０］
前記ＣＳＩ ＲＳを受信することは、
ダウンリンク（ＤＬ）バーストの最後の送信時間インターバル（ＴＴＩ）において前記ＣＳＩ ＲＳを受信することを備える、Ｃ１に記載の方法。
［Ｃ１１］
前記ＣＳＩ ＲＳを受信することは、
前記受信されたシグナリングにしたがって第１のＣＳＩ ＲＳおよび第２のＣＳＩ ＲＳを備えるＤＬバーストを受信することを備え、ここにおいて前記ＣＱＩは、前記第１のＣＳＩ ＲＳに少なくとも部分的に基づいて計算された第１のＣＱＩおよび前記第２のＣＳＩ ＲＳに少なくとも部分的に基づいて計算された第２のＣＱＩを備える、Ｃ１に記載の方法。
［Ｃ１２］
前記ＣＱＩを備える報告を送信することをさらに備え、ここにおいて前記報告は、前記ＣＱＩが前記ＣＳＩ ＲＳに少なくとも部分的に基づくことのインジケーションを備える、Ｃ１に記載の方法。
［Ｃ１３］
ワイヤレス通信の方法であって、
チャネル状態情報（ＣＳＩ）基準信号（ＲＳ）の存在を示すシグナリングを送信することと、
前記シグナリングにしたがって前記ＣＳＩ ＲＳを送信することと、
前記ＣＳＩ ＲＳに少なくとも部分的に基づいて計算されたＣＱＩを備える報告を受信することと、を備える、方法。
［Ｃ１４］
ＣＳＩ ＲＳベースのＣＱＩ報告のために構成されたユーザ機器（ＵＥ）を識別することをさらに備え、ここにおいて前記シグナリングは、前記ＵＥを識別することに少なくとも部分的に基づいて送信される、Ｃ１３に記載の方法。
［Ｃ１５］
前記ＣＱＩが前記ＣＳＩ ＲＳを送信することに少なくとも部分的に基づいて前記ＣＳＩ ＲＳを使用して計算されたことを決定することをさらに備える、Ｃ１３に記載の方法。
［Ｃ１６］
前記ＣＱＩがＵＥから受信されたインジケータに少なくとも部分的に基づいて前記ＣＳＩ ＲＳを使用して計算されたことを決定することをさらに備え、ここにおいて前記報告は、前記インジケータを備える、Ｃ１３に記載の方法。
［Ｃ１７］
多地点協調（ＣｏＭＰ）スキームにおいてＵＥをサービスするための送信パターンを決定することと、
前記送信パターンに少なくとも部分的に基づいて前記シグナリングおよび前記ＣＳＩＲＳを送信することと、をさらに備える、Ｃ１３に記載の方法。
［Ｃ１８］
前記シグナリングにしたがって前記ＣＳＩ ＲＳを送信することは、前記シグナリングにしたがって第２のユーザ機器（ＵＥ）に向けられた第２のＣＳＩ ＲＳおよび第１のＵＥに向けられた第１のＣＳＩ ＲＳを備えるＤＬバーストを送信することを備え、
前記ＣＱＩを備える前記報告を受信することは、前記第１のＣＳＩ ＲＳに少なくとも部分的に基づいて前記第１のＵＥによって計算された第１のＣＱＩを備える第１の報告を受信することと、前記第２のＣＳＩ ＲＳに少なくとも部分的に基づいて前記第２のＵＥによって計算された第２のＣＱＩを備える第２の報告を受信することとを備える、Ｃ１３に記載の方法。
［Ｃ１９］
チャネル状態情報（ＣＳＩ）基準信号（ＲＳ）の存在を示すシグナリングを受信するための手段と、
前記受信されたシグナリングにしたがって前記ＣＳＩ ＲＳを受信するための手段と、
前記ＣＳＩ ＲＳに少なくとも部分的に基づいてチャネル品質インジケータ（ＣＱＩ）を計算するための手段と、を備える、ワイヤレス通信のための装置。
［Ｃ２０］
セル固有の基準信号（ＣＲＳ）を受信するための手段をさらに備え、ここにおいて前記ＣＱＩを計算するための手段は、前記ＣＲＳに少なくとも部分的に基づいて動作可能である、Ｃ１９に記載の装置。
［Ｃ２１］
前記ＣＲＳを受信するための前記手段は、
前記ＣＲＳを備えるプリアンブルを受信するための手段を備える、Ｃ２０に記載の装置。
［Ｃ２２］
物理ダウンリンク制御チャネル（ＰＤＣＣＨ）を受信するための手段をさらに備え、ここにおいて前記ＣＳＩ ＲＳを受信するための前記手段は、前記ＰＤＣＣＨに少なくとも部分的に基づいて動作可能である、Ｃ１９に記載の装置。
［Ｃ２３］
前記ＣＳＩ ＲＳの存在を示す前記シグナリングは、物理チャネルを備える、Ｃ１９に記載の装置。
［Ｃ２４］
前記ＣＳＩ ＲＳは、複数のシンボル期間を備える、Ｃ１９に記載の装置。
［Ｃ２５］
前記ＣＳＩ ＲＳの密度は、干渉測定ギャップに少なくとも部分的に基づく、Ｃ２４に記載の装置。
［Ｃ２６］
前記ＣＳＩ ＲＳを受信するための前記手段は、
ダウンリンク（ＤＬ）バーストの最後の送信時間インターバル（ＴＴＩ）において前記ＣＳＩ ＲＳを受信するための手段を備える、Ｃ１９に記載の装置。
［Ｃ２７］
前記ＣＱＩを備える報告を送信するための手段をさらに備え、ここにおいて前記報告は、前記ＣＱＩが前記ＣＳＩ ＲＳに少なくとも部分的に基づくことのインジケーションを備える、Ｃ１９に記載の装置。
［Ｃ２８］
ワイヤレス通信のための装置であって、
チャネル状態情報（ＣＳＩ）基準信号（ＲＳ）の存在を示すシグナリングを送信するための手段と、
前記シグナリングにしたがって前記ＣＳＩ ＲＳを送信するための手段と、
前記ＣＳＩ ＲＳに少なくとも部分的に基づいて計算されたＣＱＩを備える報告を受信するための手段と、を備える、装置。
［Ｃ２９］
ＣＳＩ ＲＳベースのＣＱＩ報告のために構成されたユーザ機器（ＵＥ）を識別するための手段をさらに備え、ここにおいて前記シグナリングを送信するための前記手段は、前記ＵＥの識別に少なくとも部分的に基づいて動作可能である、Ｃ２８に記載の装置。
［Ｃ３０］
前記ＣＱＩが前記ＣＳＩ ＲＳを使用して計算され、前記ＣＳＩ ＲＳを送信することに少なくとも部分的に基づいて動作可能であることを決定するための手段をさらに備える、Ｃ２８に記載の装置。